(57)【要約】【課題】アナログ画像において、適切な電子透かし埋め込みパラメータを設定することが出来る電子透かしパラメータ設定装置、電子透かしパラメータ設定方法及び電子透かしパラメータ設定プログラムを提供する。【解決手段】所定の電子透かしの埋め込み強度及びフィルタ強度で、デジタル画像に電子透かしを埋め込み、品質評価する。品質評価結果が不良の場合、アナログ画像の品質評価値を格納するパラメータマップより対応する品質評価値を読み出し、読み出した品質評価値と品質評価値が同値である複数の埋め込み強度及びフィルタ強度の組み合わせより、埋め込み強度が弱い、または、フィルタ強度が強い組み合わせを読み出し、設定する。【選択図】  図１
2005026848.tif 000002
【特許請求の範囲】
【請求項１】
電子透かしが埋め込まれたアナログ画像の品質評価値を格納するパラメータマップを記憶する記憶手段と、
少なくとも所定の電子透かしの埋め込み強度及びフィルタ強度で、デジタル画像に電子透かしを埋め込む電子透かし埋め込み手段と、
該電子透かし埋め込み手段によって電子透かしが埋め込まれたデジタル画像について、所定の基準で品質評価する画像品質評価手段と、
該画像品質評価手段による品質評価結果が不良の場合、前記記憶手段から所定のパラメータマップを読み出し、前記電子透かし埋め込み手段に設定するパラメータ設定手段と
を具備することを特徴とする電子透かしパラメータ設定装置。
【請求項２】
電子透かしの埋め込み強度及びフィルタ強度の組み合わせにおいて、該埋め込み強度及びフィルタ強度に基づいて電子透かしが埋め込まれたアナログ画像の品質評価値を格納するパラメータマップを記憶する記憶手段と、
少なくとも所定の電子透かしの埋め込み強度及びフィルタ強度で、デジタル画像に電子透かしを埋め込む電子透かし埋め込み手段と、
該電子透かし埋め込み手段によって電子透かしが埋め込まれたデジタル画像について、所定の基準で品質評価する画像品質評価手段と、
該画像品質評価手段による品質評価結果が不良の場合、前記所定の電子透かしの埋め込み強度及びフィルタ強度と対応する品質評価値を前記パラメータマップより読み出し、該読み出した品質評価値と品質評価値が同値である、複数の埋め込み強度及びフィルタ強度の組み合わせより、埋め込み強度が弱い、または、フィルタ強度が強い組み合わせを前記パラメータマップより読み出して、前記電子透かし埋め込み手段に設定するパラメータ設定手段と
を具備することを特徴とする電子透かしパラメータ設定装置。
【請求項３】
電子透かしの埋め込み強度及びフィルタ強度の組み合わせにおいて、該埋め込み強度及びフィルタ強度に基づいて電子透かしが埋め込まれたアナログ画像の品質評価値を格納するパラメータマップを記憶する記憶手段と、少なくとも所定の電子透かしの埋め込み強度及びフィルタ強度で、デジタル画像に電子透かしを埋め込む電子透かし埋め込み手段と、
該電子透かし埋め込み手段によって電子透かしが埋め込まれたデジタル画像について、所定の基準で品質評価する画像品質評価手段と、
該画像品質評価手段による品質評価結果が不良の場合、前記所定の電子透かしの埋め込み強度及びフィルタ強度と対応する品質評価値を前記パラメータマップより読み出し、該読み出した品質評価値より品質評価値が高い組み合わせを前記パラメータマップより読み出して、前記電子透かし埋め込み手段に設定するパラメータ設定手段と
を具備することを特徴とする電子透かしパラメータ設定装置。
【請求項４】
電子透かしの埋め込み強度及びフィルタ強度の組み合わせ配列において、該埋め込み強度及びフィルタ強度に基づいて電子透かしが埋め込まれたアナログ画像の品質評価値を格納するパラメータマップを記憶する記憶手段と、
所定の電子透かしの埋め込み強度及びフィルタ強度で、デジタル画像に電子透かしを埋め込む電子透かし埋め込み手段と、
該電子透かし埋め込み手段によって電子透かしが埋め込まれたデジタル画像に基づいて出力されるアナログ画像についての品質評価結果の入力を受けて、該品質評価結果が不良の場合、前記所定の電子透かしの埋め込み強度及びフィルタ強度と対応する品質評価値を前記パラメータマップより読み出し、該読み出した品質評価値と品質評価値が同値である、複数の埋め込み強度及びフィルタ強度の組み合わせより、埋め込み強度が弱い、または、フィルタ強度が強い組み合わせを前記パラメータマップより読み出して、前記電子透かし埋め込み手段に設定するパラメータ設定手段と
を具備することを特徴とする電子透かしパラメータ設定装置。
【請求項５】
電子透かしの埋め込み強度及びフィルタ強度の組み合わせ配列において、該埋め込み強度及びフィルタ強度に基づいて電子透かしが埋め込まれたアナログ画像の品質評価値を格納するパラメータマップを記憶する記憶手段と、
所定の電子透かしの埋め込み強度及びフィルタ強度で、デジタル画像に電子透かしを埋め込む電子透かし埋め込み手段と、
該電子透かし埋め込み手段によって電子透かしが埋め込まれたデジタル画像に基づいて出力されるアナログ画像から電子透かしを検出する電子透かし検出手段と、
該電子透かし検出手段による検出結果が不良の場合、前記所定の電子透かしの埋め込み強度及びフィルタ強度と対応する品質評価値を前記パラメータマップより読み出し、該読み出した品質評価値と品質評価値が同値である、複数の埋め込み強度及びフィルタ強度の組み合わせより、埋め込み強度が強い、または、フィルタ強度が弱い組み合わせを前記パラメータマップより読み出して、前記電子透かし埋め込み手段に設定するパラメータ設定手段と
を具備することを特徴とする電子透かしパラメータ設定装置。
【請求項６】
所定の電子透かしの埋め込み強度及びフィルタ強度で、デジタル画像に電子透かしを埋め込み、
該電子透かしが埋め込まれたデジタル画像について、所定の基準で品質評価し、
該品質評価結果が不良の場合、電子透かしの埋め込み強度及びフィルタ強度の組み合わせ配列において、該埋め込み強度及びフィルタ強度に基づいて電子透かしが埋め込まれたアナログ画像の品質評価値を格納するパラメータマップより、前記所定の電子透かしの埋め込み強度及びフィルタ強度と対応する品質評価値を読み出し、
該読み出した品質評価値と品質評価値が同値である、複数の埋め込み強度及びフィルタ強度の組み合わせより、埋め込み強度が弱い、または、フィルタ強度が強い組み合わせを前記パラメータマップより読み出し、前記電子透かしの埋め込み強度及びフィルタ強度を設定する
ことを特徴とする電子透かしパラメータ設定方法。
【請求項７】
コンピュータに、
所定の電子透かしの埋め込み強度及びフィルタ強度で、デジタル画像に電子透かしを埋め込む処理と、
該電子透かしが埋め込まれたデジタル画像について、所定の基準で品質評価する処理と、
該品質評価結果が不良の場合、電子透かしの埋め込み強度及びフィルタ強度の組み合わせ配列において、該埋め込み強度及びフィルタ強度に基づいて電子透かしが埋め込まれたアナログ画像の品質評価値を格納するパラメータマップより、前記所定の電子透かしの埋め込み強度及びフィルタ強度と対応する品質評価値を読み出す処理と、
該読み出した品質評価値と品質評価値が同値である、複数の埋め込み強度及びフィルタ強度の組み合わせより、埋め込み強度が弱い、または、フィルタ強度が強い組み合わせを前記パラメータマップより読み出して、前記電子透かし埋め込み手段に設定する処理と
を実行させるための電子透かしパラメータ設定プログラム。
【発明の詳細な説明】
【０００１】
【発明の属する技術分野】
本発明は、印刷対応電子透かしにおいて、適正な電子透かしのパラメータ設定を取得するための電子透かしパラメータ設定装置、電子透かしパラメータ設定方法及び電子透かしパラメータ設定プログラムに関する。
【０００２】
【従来の技術】
従来、印刷物の印刷品質管理及び印刷品質保証技術として、印刷品質の判定を正確に行うための印刷システムが存在する。
例えば、先行技術文献１には、印刷データを通信により受信して、その場で印刷出力する場合のみならず、例えば、印刷データを提供する場所と、印刷データを印刷出力する場所との間が離れている場合であっても、通信により印刷データを送受信することによって印刷出力を行う場合であっても、印刷データにより印刷物の主題部分を印刷する場合、印刷物の品質判定用チャートも、一緒に印刷する制御を行う品質判定用チャート印刷制御手段で印刷制御し、印刷された品質判定用チャートの測定を行う品質判定用チャート測定手段で測定することが記載されている。
【０００３】
【特許文献１】
特開２００２−１６６６３５号公報
【０００４】
【発明が解決しようとする課題】
一方、印刷対応の電子透かしの場合、印刷物というアナログ画像に対しても透かし検出処理可能である必要がある。印刷対応電子透かしとは、デジタル画像に電子透かし情報を埋め込んで紙などの印刷媒体に出力し、ＡＤ変換器を用いて、出力される印刷物をデジタル画像に変換し、電子透かしを検出できる電子透かしである。
しかし、アナログ画像の特徴として、印刷工程、アナログ・デジタル変換工程、印刷時の印刷方法、印刷紙・インクの特性によっては、アナログ画像の劣化により、電子透かしを検出することができない場合がある。
また、電子透かしをデジタル画像に埋め込む場合、少なからず品質が劣化する。したがって、この劣化が印刷物が求められる品質として耐えられる範囲に納めることも必要である。
【０００５】
電子透かしを印刷物から検出できるようにするには、デジタル画像へ電子透かしを埋め込む際のパラメータ設定を適切に変更することで対応可能である。
ところが、電子透かしの埋め込み時のパラメータ設定、印刷物の品質評価は、電子透かし技術に詳しい技術者、印刷品質に詳しいデザイナーなど、複数の専門的知識をもった人間が集まらなければ最終的なパラメータ設定の判断ができなかった。
【０００６】
本発明は、このような事情を考慮してなされたものであり、その目的は、アナログ画像において、適切な電子透かし埋め込みパラメータを設定することが出来る電子透かしパラメータ設定装置、電子透かしパラメータ設定方法及び電子透かしパラメータ設定プログラムを提供することにある。
【０００７】
【課題を解決するための手段】
この発明は上記の課題を解決すべくなされたもので、請求項１に記載の発明は、電子透かしが埋め込まれたアナログ画像の品質評価値を格納するパラメータマップを記憶する記憶手段と、少なくとも所定の電子透かしの埋め込み強度及びフィルタ強度で、デジタル画像に電子透かしを埋め込む電子透かし埋め込み手段と、該電子透かし埋め込み手段によって電子透かしが埋め込まれたデジタル画像について、所定の基準で品質評価する画像品質評価手段と、該画像品質評価手段による品質評価結果が不良の場合、前記記憶手段からより適切なパラメータマップを読み出し、前記電子透かし埋め込み手段に設定するパラメータ設定手段と
を具備することを特徴とする。
【０００８】
請求項２に記載の発明は、電子透かしの埋め込み強度及びフィルタ強度の組み合わせ配列において、該埋め込み強度及びフィルタ強度に基づいて電子透かしが埋め込まれたアナログ画像の品質評価値を格納するパラメータマップを記憶する記憶手段と、所定の電子透かしの埋め込み強度及びフィルタ強度で、デジタル画像に電子透かしを埋め込む電子透かし埋め込み手段と、該電子透かし埋め込み手段によって電子透かしが埋め込まれたデジタル画像について、所定の基準で品質評価する画像品質評価手段と、該画像品質評価手段による品質評価結果が不良の場合、前記所定の電子透かしの埋め込み強度及びフィルタ強度と対応する品質評価値を前記パラメータマップより読み出し、該読み出した品質評価値と品質評価値が同値である、複数の埋め込み強度及びフィルタ強度の組み合わせより、埋め込み強度が弱い、または、フィルタ強度が強い組み合わせを前記パラメータマップより読み出して、前記電子透かし埋め込み手段に設定するパラメータ設定手段とを具備することを特徴とする。
【０００９】
また、請求項３に記載の発明は、電子透かしの埋め込み強度及びフィルタ強度の組み合わせ配列において、該埋め込み強度及びフィルタ強度に基づいて電子透かしが埋め込まれたアナログ画像の品質評価値を格納するパラメータマップを記憶する記憶手段と、所定の電子透かしの埋め込み強度及びフィルタ強度で、デジタル画像に電子透かしを埋め込む電子透かし埋め込み手段と、該電子透かし埋め込み手段によって電子透かしが埋め込まれたデジタル画像について、所定の基準で品質評価する画像品質評価手段と、該画像品質評価手段による品質評価結果が不良の場合、前記所定の電子透かしの埋め込み強度及びフィルタ強度と対応する品質評価値を前記パラメータマップより読み出し、該読み出した品質評価値より品質評価値が高い組み合わせを前記パラメータマップより読み出して、前記電子透かし埋め込み手段に設定するパラメータ設定手段とを具備することを特徴とする。
【００１０】
また、請求項４に記載の発明は、電子透かしの埋め込み強度及びフィルタ強度の組み合わせ配列において、該埋め込み強度及びフィルタ強度に基づいて電子透かしが埋め込まれたアナログ画像の品質評価値を格納するパラメータマップを記憶する記憶手段と、所定の電子透かしの埋め込み強度及びフィルタ強度で、デジタル画像に電子透かしを埋め込む電子透かし埋め込み手段と、該電子透かし埋め込み手段によって電子透かしが埋め込まれたデジタル画像に基づいて出力されるアナログ画像についての品質評価結果の入力を受けて、該品質評価結果が不良の場合、前記所定の電子透かしの埋め込み強度及びフィルタ強度と対応する品質評価値を前記パラメータマップより読み出し、該読み出した品質評価値と品質評価値が同値である、複数の埋め込み強度及びフィルタ強度の組み合わせより、埋め込み強度が弱い、または、フィルタ強度が強い組み合わせを前記パラメータマップより読み出して、前記電子透かし埋め込み手段に設定するパラメータ設定手段とを具備することを特徴とする。
【００１１】
また、請求項５に記載の発明は、電子透かしの埋め込み強度及びフィルタ強度の組み合わせ配列において、該埋め込み強度及びフィルタ強度に基づいて電子透かしが埋め込まれたアナログ画像の品質評価値を格納するパラメータマップを記憶する記憶手段と、所定の電子透かしの埋め込み強度及びフィルタ強度で、デジタル画像に電子透かしを埋め込む電子透かし埋め込み手段と、該電子透かし埋め込み手段によって電子透かしが埋め込まれたデジタル画像に基づいて出力されるアナログ画像から電子透かしを検出する電子透かし検出手段と、該電子透かし検出手段による検出結果が不良の場合、前記所定の電子透かしの埋め込み強度及びフィルタ強度と対応する品質評価値を前記パラメータマップより読み出し、該読み出した品質評価値と品質評価値が同値である、複数の埋め込み強度及びフィルタ強度の組み合わせより、埋め込み強度が強い、または、フィルタ強度が弱い組み合わせを前記パラメータマップより読み出して、前記電子透かし埋め込み手段に設定するパラメータ設定手段とを具備することを特徴とする。
【００１２】
また、請求項６に記載の発明は、所定の電子透かしの埋め込み強度及びフィルタ強度で、デジタル画像に電子透かしを埋め込み、該電子透かしが埋め込まれたデジタル画像について、所定の基準で品質評価し、該品質評価結果が不良の場合、電子透かしの埋め込み強度及びフィルタ強度の組み合わせ配列において、該埋め込み強度及びフィルタ強度に基づいて電子透かしが埋め込まれたアナログ画像の品質評価値を格納するパラメータマップより、前記所定の電子透かしの埋め込み強度及びフィルタ強度と対応する品質評価値を読み出し、該読み出した品質評価値と品質評価値が同値である、複数の埋め込み強度及びフィルタ強度の組み合わせより、埋め込み強度が弱い、または、フィルタ強度が強い組み合わせを前記パラメータマップより読み出し、前記電子透かしの埋め込み強度及びフィルタ強度を設定することを特徴とする。
【００１３】
また、請求項７に記載の発明は、コンピュータに、所定の電子透かしの埋め込み強度及びフィルタ強度で、デジタル画像に電子透かしを埋め込む処理と、該電子透かしが埋め込まれたデジタル画像について、所定の基準で品質評価する処理と、該品質評価結果が不良の場合、電子透かしの埋め込み強度及びフィルタ強度の組み合わせ配列において、該埋め込み強度及びフィルタ強度に基づいて電子透かしが埋め込まれたアナログ画像の品質評価値を格納するパラメータマップより、前記所定の電子透かしの埋め込み強度及びフィルタ強度と対応する品質評価値を読み出す処理と、該読み出した品質評価値と品質評価値が同値である、複数の埋め込み強度及びフィルタ強度の組み合わせより、埋め込み強度が弱い、または、フィルタ強度が強い組み合わせを前記パラメータマップより読み出して、前記電子透かし埋め込み手段に設定する処理とを実行させるための電子透かしパラメータ設定プログラムである。
【００１４】
【発明の実施の形態】
以下、図面を参照して、本発明の電子透かしパラメータ設定装置の一実施形態について説明する。図１は、本実施形態の電子透かしパラメータ設定装置１の構成を示す構成図である。本実施形態の電子透かしパラメータ設定装置１は、入力部１０、電子透かし埋め込み部１１、パラメータ設定部１２、画像品質評価処理部１３、印刷用レイアウト処理部１４、電子透かし検出部１５、出力部１６と、原画像データベース（以下、ＤＢとする）２０、パラメータＤＢ２１、電子透かし埋め込み画像ＤＢ２２とから構成される。
【００１５】
入力部１０は、電子透かしパラメータ設定装置１の入力インターフェイスであって、ユーザによる品質評価結果（後述する）やＡＤ変換器２でＡＤ変換されたデジタル画像を入力する。
電子透かし埋め込み部１１は、パラメータ設定部１２に設定された電子透かしの埋め込み強度及びフィルタ強度で電子透かしを原画像ＤＢ２０に格納されたデジタル画像へ埋め込み、電子透かし埋め込み画像ＤＢ２２に格納する。
パラメータ設定部１２は、印刷条件ごとに異なる所定の標準パラメータ（標準の電子透かしの埋め込み強度及びフィルタ強度）をデフォルトで設定しており、画像品質評価処理部１３による品質評価結果、ユーザの目視等による品質評価結果、電子透かし検出部１５による電子透かし検出結果に基づいて、電子透かし埋め込み時のパラメータ（電子透かしの埋め込み強度及びフィルタ強度）を検討し、パラメータＤＢ２１に格納されるパラメータマップに基づいて、当該パラメータを更新する。
【００１６】
ここで、電子透かしの検出成功率に影響する印刷条件としては、印刷方法（グラビア，凸版，凹版，インクジェット，レーザ等），印刷媒体（再生紙，段ボール，ＰＥＴなど），インク（ＣＭＹＫインク，特色インクなど）の違い、印刷に用いる画像の柄、用途（書類，書籍，カタログ、チラシ、写真集、商品パッケージ等）、アナログ・デジタル変換方法（ＡＤ変換器の種別  スキャナ，デジタルカメラ等）が考えられ、上述した所定の標準パラメータは、これらの印刷条件ごと、評価開始前に予め設定される。また、標準パラメータは、印刷条件ごとに、品質を保持し電子透かしが検出できるパラメータの組み合わせとする。
本明細書においては、このパラメータの組み合わせを電子透かしの精度と定義し、Ｚ（ａ）で表す。電子透かしの埋め込み強度をＸとし、フィルタ強度をＹとした場合、電子透かしの精度は、Ｚ（ａ）＝ｆ（Ｘ，Ｙ）と表すことができ、この電子透かしの精度順に、
…  Ｚ（ａ−２）＜Ｚ（ａ−１）  ＜Ｚ（ａ）  ＜Ｚ（ａ＋１）  ＜Ｚ（ａ＋２）  …
というように大小関係を定義する。なお、ここで、当該大小関係の中心となるＺ（ａ）を印刷条件ごとの標準パラメータとする。
【００１７】
パラメータＤＢ２１は、電子透かしの埋め込み強度及びフィルタ強度の組み合わせ配列において、埋め込み強度及びフィルタ強度に基づいて電子透かしが埋め込まれたアナログ画像の品質評価値を格納するパラメータマップを記憶する。
図２は、上述した電子透かしの埋め込み強度Ｘ、フィルタ強度Ｙの２つによって作成された複数の強度の組み合わせからなるパラメータマップを示す。
ここで、埋め込み強度Ｘとは、原画像に対して電子透かしを埋め込む場合の画像加工強度であって、埋め込み強度を強くすると、画像の劣化が目立つようになる。本明細書においては、この原画像に対する電子透かしを埋め込んだ画像における画像劣化の度合（画像品質の低下の度合）を画像劣化度と定義する。
また、フィルタ強度Ｙとは、電子透かし埋め込み後に、画像の劣化、及び、電子透かしを埋め込んだ部分が目立たないように画像を滑らかにする為のフィルタの強度である。フィルタ強度を強くすると、画像は、電子透かしを埋め込む前のオリジナル画像に近くなり、画像の劣化等が目立たなくなる。しかし、電子透かしが検出され難くなる。逆に、フィルタ強度を弱くすると、画像の劣化等は消せなくなるが、電子透かしが検出されやすくなる。
【００１８】
すなわち、埋め込み強度Ｘが強くなるほど、電子透かしの検出確率が高くなり、画像劣化度が大きい。また、フィルタ強度Ｙが弱いほど、画像劣化度が大きくなり、電子透かしの検出確率が高くなる。また、埋め込み強度Ｘが弱くなるほど、電子透かしの検出確率が低くなり、画像劣化度が小さい。また、フィルタ強度Ｙが強いほど、画像劣化度が小さくなり、電子透かしの検出確率が低くなる。
図２に示すパラメータマップにおいては、Ｘ軸右方向ほど埋め込み強度Ｘのレベルが高く、Ｙ軸下方向ほどフィルタ強度Ｙのレベルが高いため、右上領域ほど画像劣化が著しく、左下領域ほど画像劣化が目立たない。
【００１９】
以下、この電子透かしの精度Ｚ（ａ）と対応する埋め込み強度及びフィルタ強度に基づいて電子透かしが埋め込まれたアナログ画像の品質評価値の決定する方法について説明する。
本実施形態においては、Ｚ（ａ）＝ｆ（Ｘ，Ｙ）の値を経験則により定め、例えば、値が大きいほど電子透かしの検出確率が高く、画像の劣化度が大きいものとする。
すなわち、まず始めに、埋め込み強度Ｘの値Ｐ個（本実施形態のパラメータマップにおいては５個  後述する）とフィルタ強度Ｙの値Ｑ個（本実施形態のパラメータマップにおいては５個  後述する）の組み合わせを作成する。そのＰ×Ｑ個の組み合わせ（本実施形態においては２５個）により、電子透かしを埋め込み、ユーザの主観的評価により各組み合わせに配点を行う。すなわち、この配点が上述した品質評価値と定義される。
すなわち、品質評価値とは、アナログ画像の主観評価を行った際の数値であり、画像の柄、用途、状況に応じて同一のパラメータであっても品質評価値は異なる場合がある。
【００２０】
具体例としては、例えば、Ｐ＝５，Ｑ＝５としてそれぞれ５段階の強度を設定する。そして、それぞれの埋め込み強度及びフィルタ強度の組み合わせでデジタル画像に対して電子透かしを埋め込み、紙等のアナログ媒体に印刷する。ユーザは、このアナログ画像（印刷物）の主観評価を行い、品質評価値をそれぞれに付ける。ここでは、品質評価値の最も良いものを１００点、最も悪いものを１０点とする。
【００２１】
今、図２に示すように、２５個すべてのｆ（Ｘ，Ｙ）について、アナログ画像の主観評価により品質評価値が与えられたとする。例えば、品質評価値の中心として、Ｚ（ａ）＝ｆ（３，３）を標準パラメータとすると、より値（点数）が高い組み合わせは、Ｚ（ａ＋１）、Ｚ（ａ＋２）と定義され、より点数が低い組み合わせは、Ｚ（ａ−１）、Ｚ（ａ−２）と定義される。
また、同じ点数の場合、埋め込み強度Ｘのレベル（値）が高い方を上位と定義し、同じ埋め込み強度であれば、フィルタ強度Ｙのレベルが高い方を上位と定義する。
具体例としては、品質評価値が７０点である電子透かし精度Ｚ（ａ）は、図２に示すパラメータマップにおいて、ｆ（２，２）、ｆ（３，４）、ｆ（３，５）の３つがあるが、この大小関係は、埋め込み強度Ｘのレベルとフィルタ強度Ｙのレベルとに基づいて、
ｆ（２，２）＜（ｆ（３，４）＜（ｆ（３，５）
というように定義される。
【００２２】
ユーザは、予め画像の柄、用途、状況ごとに、これらの品質評価値を格納するパラメータマップを作成する。柄、用途、状況の分類として、例えば、以下のような分類とする。
柄    ：  風景、人物、食物、ＣＧ、連続模様など
用途  ：  包装用、チラシ用、カタログ用、ＷＥＢ用など
状況  ：  印刷機、紙、インク、印刷方法（グラビア、凸版インクジェット，レーザ…ｅｔｃ）など
また同時に、各印刷条件、画像条件に対して、安定して品質が保持でき、電子透かしが検出できるパラメータを取得し、それを標準パラメータとする。
【００２３】
画像品質評価処理部１３は、電子透かし埋め込み部１１によって電子透かしが埋め込まれたデジタル画像について、所定の基準で品質評価する。
電子透かし埋め込み後の画像の品質評価とは、電子透かしの埋め込み後のデジタル画像について、印刷物に用いる画像としての品質を評価を行うことをいう。
デジタル画像の品質評価基準は、その画像の柄、用途、印刷方式等の実装によって異なるが、例として、以下のような場合が考えられる。
（柄）
・空、海、アニメの画像のように、色の変化があまり見られない画像（べた塗り、グラデーションなど）
→品質の劣化が目立つ
・木、人ごみの画像のように、色の変化が多く、入り乱れている画像
→品質の劣化が目立たない
（用途）
・車や宝石などのカタログ、写真集、商品のパッケージなどに用いる画像
→品質の高い画像が要求される
・新聞の折込チラシ、社内文書などの資料に用いる画像
→ある程度品質が低くても許容される。
（印刷方式）
・凸版、凹版、平版インクジェット，レーザなどの印刷方式による違い
・インクの種類による違い
・紙の品種による違い
すなわち、画像品質評価処理部１３は、これらの柄、用途、印刷方式それぞれの場合について、品質評価基準レベルを予め設定し、品質評価対象となるデジタル画像がどの品質評価基準レベルに属するのかを判定する。そして、品質評価基準レベルの判定結果（＝品質評価結果）が所定の閾値（あるいは、品質評価基準レベル  以下、同様）に達していない場合、品質評価結果が不良と判定し、パラメータ設定部１２に対して、パラメータの検討・更新要求を出力する。一方、品質評価基準レベルの判定結果が所定の閾値に達している場合、品質評価結果が良と判定し、印刷用レイアウト処理部１４に対して、当該品質評価対象となるデジタル画像を出力する。
【００２４】
印刷用レイアウト処理部１４は、画像品質評価処理部１３が出力する１または複数のデジタル画像について、アナログ媒体である紙等に印刷する際の印刷レイアウトを決定する。本実施形態においては、図３に示すように、標準パラメータと定義された電子透かし精度Ｚ（ａ）を中心に、電子透かし精度Ｚ（ａ−４）〜Ｚ（ａ＋４）で電子透かしが埋め込まれた９つのデジタル画像を一枚の印刷用紙にレイアウトし、出力部１６を介して、印刷機３に出力する。
【００２５】
電子透かし検出部１５は、電子透かし埋め込み部１１によって電子透かしが埋め込まれたデジタル画像に基づいて出力されるアナログ画像から電子透かしを検出する。具体的には、印刷機３（ＤＡ変換器）で印刷されることにより、デジタルデータからアナログデータに変換されたアナログ画像は、再度、スキャナやデジタルカメラ等のＡＤ変換器２でデジタル画像に変換された後、入力部１０を介して、電子透かし検出部１５に入力され、電子透かし検出の可否が判定される。
【００２６】
次に、図面を参照して、本実施形態の電子透かしパラメータ設定装置１の動作について説明する。図４は、本実施形態の電子透かしパラメータ設定装置１によるパラメータ設定処理の過程を示すフローチャートである。
今、電子透かしパラメータ設定装置１において、ユーザが、原画像ＤＢ２０に記憶されているデジタル画像を印刷するに当たり、電子透かしを埋め込んでおきたい場合、ユーザは、電子透かし埋め込み対象となるデジタル画像を原画像ＤＢ２０より選択し、必要なトリミング処理、色補正処理等の前処理を行っておく（図４のステップＳ１を参照）。また、ユーザは、上述した印刷条件のいずれを使用するかについて設定する。印刷条件の設定により、パラメータ設定部１２において、使用する標準パラメータ及びパラメータマップが決定され、前処理の完了したデジタル画像は、電子透かし埋め込み部１１に読み込まれる（ステップＳ２）。
【００２７】
電子透かし埋め込み部１１は、前処理の完了したデジタル画像の入力を受けて、パラメータ設定部１２に設定された電子透かしの埋め込み強度及びフィルタ強度でデジタル画像に電子透かしを埋め込み、電子透かし埋め込み画像ＤＢ２２に格納する。
画像品質評価処理部１３は、電子透かしが埋め込まれたデジタル画像の品質評価（品質評価１とする）を行う（ステップＳ４）。
図５は、品質評価１における処理の流れを示すフローチャートである。
画像品質評価処理部１３は、所定の品質評価基準で品質評価を行う（図５のステップＳ２０）。そして、例えば、電子透かしを埋め込んだデジタル画像の色差が閾値以下、かつ、デジタル画像を印刷した場合に必要な品質を保っていると判断した場合（ステップＳ２１）、さらに、電子透かしを埋め込んだデジタル画像から電子透かしが検出できるか否かを判定する（ステップＳ２２）。
一方、電子透かしを埋め込んだデジタル画像の色差が閾値以上、または、デジタル画像を印刷した場合に必要な品質を保っていないと判断した場合（ステップＳ２１で不良）、画像品質評価処理部１３は、品質不良と判定する（ステップＳ２３）。
【００２８】
電子透かしを埋め込んだデジタル画像から電子透かしの検出に成功した場合（ステップＳ２４で検出成功）、画像品質評価処理部１３は、品質良と判定する（ステップＳ２５）。
一方、電子透かしを埋め込んだデジタル画像から電子透かしの検出に失敗した場合（ステップＳ２４で検出失敗）、画像品質評価処理部１３は、品質不良と判定する（ステップＳ２３）。
以上処理により、画像品質評価処理部１３は、品質判定結果（良、不良）を出力する（ステップＳ２６）。
【００２９】
画像品質評価処理部１３が出力する品質評価結果が不良の場合（ステップＳ５でＮＧ）、パラメータ設定部１２は、電子透かし埋め込みの標準パラメータを以下のように検討する（ステップＳ６）。
このとき検討するパラメータは、
・電子透かしの埋め込み強度Ｘ
・電子透かし埋め込み後のフィルタ強度Ｙ
の２つである。また、パラメータ設定部１２は、埋め込み強度、フィルタ強度の順にパラメータ変更を優先する。
【００３０】
このフィルタ強度と埋め込み強度のバランスを適度なところに設定する必要があり、以下のそれぞれの場合に応じてパラメータを変更する。
（１）  電子透かし埋め込み画像の品質評価が不良の時
電子透かしを埋め込んだデジタル画像の色差が閾値以上、または、デジタル画像、及び印刷物が印刷物としての品質を保っていないと判断された場合、画像が原画像に近くなるように、パラメータを変更する。具体的には、
・埋め込み強度を弱くする（埋め込み強度Ｘのレベルを下げる）
・フィルタ強度を強くする（フィルタ強度Ｙのレベルを上げる）
の順にパラメータを変更する。
具体的には、パラメータ設定部１２は、標準パラメータと対応する品質評価値をパラメータマップより読み出し、読み出した品質評価値と品質評価値が同値である、複数の埋め込み強度及びフィルタ強度の組み合わせより、埋め込み強度が弱い、または、フィルタ強度が弱い組み合わせをパラメータマップより読み出して、電子透かし埋め込み部１１に設定する。
また、品質評価値が同値である電子透かし精度Ｚが複数存在しない場合、パラメータ設定部１２は、所定の電子透かしの埋め込み強度及びフィルタ強度と対応する品質評価値をパラメータマップより読み出し、読み出した品質評価値より品質評価値が高い組み合わせをパラメータマップより読み出して、電子透かし埋め込み部１１に設定する。
【００３１】
（２）  デジタル画像から電子透かし検出できなかった時
電子透かし埋め込み直後のデジタル画像から、電子透かしの検出をしやすくなるように、
・埋め込み強度を強くする（埋め込み強度Ｘのレベルを上げる）
・フィルタ強度を弱くする（フィルタ強度Ｙのレベルを下げる）
の順にパラメータを変更する。
具体的には、パラメータ設定部１２は、検出結果が不良の場合、標準パラメータと対応する品質評価値をパラメータマップより読み出し、読み出した品質評価値と品質評価値が同値である、複数の埋め込み強度及びフィルタ強度の組み合わせより、埋め込み強度が強く、または、フィルタ強度が弱い組み合わせをパラメータマップより読み出して、電子透かし埋め込み部１１に設定する。
【００３２】
以上のパラメータ検討結果として、読み出すべき埋め込み強度及びフィルタ強度の組み合わせがパラメータマップに登録されている場合（ステップＳ７でパラメータ決定可能時）、パラメータ設定部１２は、パラメータ変更を決定する（ステップＳ９）。
一方、読み出すべき埋め込み強度及びフィルタ強度の組み合わせがパラメータマップに登録されていない場合（ステップＳ７でパラメータ決定不可能時）、パラメータ設定部１２は、パラメータ変更処理を中止する（ステップＳ８）。
【００３３】
品質評価結果が良である場合（ステップＳ５でＯＫ）、印刷用レイアウト処理部１４は、画像品質評価処理部１３が出力する１または複数のデジタル画像について、アナログ媒体である紙等に印刷する際の印刷レイアウトを決定する（ステップＳ１０）。
すなわち、図３に示すように、標準パラメータと定義された電子透かし精度Ｚ（ａ）を中心に、電子透かし精度Ｚ（ａ−４）〜Ｚ（ａ＋４）で電子透かしが埋め込まれた９つのデジタル画像について、品質評価結果が良である場合（ステップＳ５でＯＫ）、印刷用レイアウト処理部１４は、これを一枚の印刷用紙にレイアウトし、出力部１６を介して、印刷機３に出力する。
一方、この９つのデジタル画像について、すべての品質評価結果が不良である場合（ステップＳ５でＮＧ）、パラメータが変更されて（ステップＳ９）、例えば、図６に示すように、電子透かしの精度を９つ順位を下げた電子透かし精度Ｚ（ａ―９）を中心に、電子透かし精度Ｚ（ａ−１３）〜Ｚ（ａ−５）で電子透かしが埋め込まれた９つのデジタル画像について、品質評価結果が良である場合（ステップＳ５でＯＫ）、印刷用レイアウト処理部１４は、これを一枚の印刷用紙にレイアウトし、出力部１６を介して、印刷機３に出力する。
【００３４】
印刷機３において、９つのアナログ画像が一枚の印刷用紙に印刷されると（ステップＳ１１）、ユーザは、印刷物の品質を目視により判断する（ステップＳ１２）。
目視判断により、９つのアナログ画像の全部又は一部について、画像の劣化度が大きく、品質に問題があると判断された場合（ステップＳ１３でＮＧ）、ユーザは、当該判断の結果を入力部１０に入力し、パラメータ検討を再度行う（ステップＳ６）。具体的には、
（３）  印刷物の品質評価が不良の時
印刷物が印刷物としての品質を保っていないと判断された場合、画像が原画像に近くなるように、パラメータを変更する。具体的には、
・埋め込み強度を弱くする（埋め込み強度Ｘのレベルを下げる）
・フィルタ強度を強くする（フィルタ強度Ｙのレベルを上げる）
の順にパラメータを変更する。
なお、パラメータ検討を再度行う場合において、当該ステップ後の電子透かし検出処理について、実装によっては、行う／行わないのいずれを選択してもよい。
【００３５】
一方、目視判断により、９つのアナログ画像の全部、又は、少なくとも一部については品質に問題がないと判断された場合（ステップＳ１３でＯＫ）、ユーザは、ＡＤ変換器２に対して、印刷した際の解像度等を設定し（ステップＳ１４）、印刷物をＡＤ変換し（ステップＳ１５）、入力部１０を介して、電子透かし検出部１５に入力する。
【００３６】
ＡＤ変換されたデジタル画像が入力されると、電子透かし検出部１５は、当該デジタル画像について、電子透かしの検出を試みる（ステップＳ１６）。そして、これらの評価で得られた結果により、パラメータ設定部１２は、以下のような処理を行う。
すなわち、電子透かし検出部１５が出力する検出結果が失敗の場合（ステップＳ１７で検出失敗）、パラメータ設定部１２は、電子透かし埋め込みの標準パラメータを以下のように検討する（ステップＳ６）。
このとき検討するパラメータは、ステップＳ５及びＳ１３でＮＧの場合と同様に、
・電子透かしの埋め込み強度Ｘ
・電子透かし埋め込み後のフィルタ強度Ｙ
の２つである。また、パラメータ設定部１２は、埋め込み強度、フィルタ強度の順にパラメータ変更を優先する。
【００３７】
このフィルタ強度と埋め込み強度のバランスを適度なところに設定する必要がある。
（４）  デジタル画像から電子透かし検出できなかった時
印刷物をスキャンして得られたデジタル画像から、電子透かしの検出をしやすくなるように、
・埋め込み強度を強くする（埋め込み強度Ｘのレベルを上げる）
・フィルタ強度を弱くする（フィルタ強度Ｙのレベルを下げる）
の順にパラメータを変更する。
【００３８】
以上説明したように、本実施形態の電子透かしパラメータ設定装置１は、画像品質の良否、電子透かし検出の可否に基づいて、以下のようなパラメータ選択を行う。
（Ａ）すべての画像において、画像の劣化度が大きく、品質に問題があると判断された場合。ただし、電子透かしは検出されるものとする。
９つのデジタル画像について、すべて電子透かしが検出されたが、品質に問題があると判断された場合、パラメータ設定部１２は、前回評価に用いた電子透かしの精度よりも、電子透かしの精度を９つ順位だけを下げる（ステップＳ１３でＮＧ、Ｓ６、Ｓ７、Ｓ９）。そして、図６に示すように、電子透かし精度Ｚ（ａ−１３）〜Ｚ（ａ−５）で電子透かしが埋め込まれた９つのデジタル画像を用いて、同様の処理を行う。
【００３９】
（Ｂ）すべての画像において、電子透かしの検出に失敗した場合。ただし、画像の品質には問題がないものとする。
９つのデジタル画像について、すべて画像の品質には問題がないが、電子透かしが検出されなかった時は、前回評価に用いた電子透かしの精度を９つ順位だけを上げる（ステップＳ１７で検出失敗、Ｓ６、Ｓ７、Ｓ９）。そして、図７に示すように、電子透かし精度Ｚ（ａ＋５）〜Ｚ（ａ＋１３）で電子透かしが埋め込まれた９つのデジタル画像を用いて、同様の処理を行う。
（Ｃ）電子透かしの検出に失敗し、画像の品質には問題がある場合。
９つのデジタル画像について、すべて画像の品質には問題があり、電子透かしが検出されなかった時は、評価に使用した、条件（印刷機、印刷紙、インク、画像などによる）では、埋め込み強度、フィルタ強度の変更では、対応できないとし（ステップＳ７でパラメータ決定不可時）、処理を終了する（ステップＳ８）。
この場合、本システムで決定できるパラメータによるものではなく、使用印刷紙の変更、使用インクの変更等の人的部、または、他の電子透かし埋め込みに関わるパラメータの変更により解決する。
【００４０】
一方、９つのデジタル画像のうち、一部のデジタル画像については品質に問題がなく、電子透かしが検出された場合、その一部のデジタル画像に設定されたパラメータを、最適なパラメータとする。なお、本明細書では、品質に問題がなく、電子透かしが検出された画像を印刷対応電子透かし検出成功画像とする。
このとき、印刷対応電子透かし検出成功画像が１枚（Ｚ（ａ＋１３））であれば（図８を参照）、これを最適なパラメータとする。一方、印刷対応電子透かし検出成功画像が複数枚存在する場合（図９を参照）、最も標準パラメータに近いパラメータを最適なパラメータとする。
例えば、図９に示す例では、Ｚ（ａ＋１０）、Ｚ（ａ＋１１）、Ｚ（ａ＋１２）、Ｚ（ａ＋１３）が印刷対応電子透かし検出成功画像であるが、Ｚ（ａ＋１０）〜Ｚ（ａ＋１３）のうち、標準パラメータＺ（０）に最も近い、Ｚ（ａ＋１０）と対応する埋め込み強度フィルタ強度を最適なパラメータとする（ステップＳ９）。
【００４１】
以上説明したように、本実施形態の電子透かしパラメータ設定装置１においては、印刷物として品質を保つ程度の埋め込み強度にて、デジタル画像へ電子透かし情報を埋め込み、印刷物からの電子透かしの検出を行い、検出失敗時には、電子透かしの埋め込みパラメータを変更し、再度デジタル画像に対して、電子透かし情報の埋め込みを行うことにより、適正な電子透かしのパラメータ設定を取得する処理をシステム化することができる。
したがって、本実施形態の電子透かしパラメータ設定装置１によれば、様々な印刷条件による印刷物から電子透かしが検出できる効果が得られる。
また、埋め込んだ電子透かしの検出結果により、印刷物としての品質を保持できるとともに、最適な電子透かしの埋め込みパラメータを取得し、再埋め込みを行うことができる効果が得られる。
なお、本実施形態においては、電子透かし情報の埋め込み時に設定するパラメータのうち、システムで変更できるパラメータは、電子透かしの埋め込み強度、画像の劣化を押さえるためのフィルタ強度の２つとして具体化したが、他の電子透かしの検出性効率に関係するパラメータも同様に扱えるものとする。
【００４２】
このように、電子透かしの埋め込み後のデジタルデータに対する品質評価を自動化することにより、今まで印刷に詳しい人にしか判断できなかった画像の品質を保つ、ということが可能になる。
また、画像の品質、電子透かしの検出結果により、自動的にパラメータを変更することができるため、今まで印刷対応電子透かし技術についての知識を持つ人にしかできなかった、パラメータの変更が可能になる。
したがって、印刷対応電子透かし技術の知識、及び印刷物の品質評価の知識がそれほどなくても、印刷物として耐えられる品質で、かつ、正確に検出することができる印刷対応電子透かしを埋め込むことができる効果が得られる。
【００４３】
上述の電子透かしパラメータ設定装置１は、内部に、コンピュータシステムを有している。
そして、上述した電子透かしパラメータ設定処理に関する一連の処理の過程は、プログラムの形式でコンピュータ読み取り可能な記録媒体に記憶されており、このプログラムをコンピュータが読み出して実行することによって、上記処理が行われる。
すなわち、電子透かしパラメータ設定装置１における、各処理手段、処理部は、ＣＰＵ等の中央演算処理装置がＲＯＭやＲＡＭ等の主記憶装置に上記プログラムを読み出して、情報の加工・演算処理を実行することにより、実現されるものである。
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４４】
【発明の効果】
以上説明したように、本発明は、所定の電子透かしの埋め込み強度及びフィルタ強度で、デジタル画像に電子透かしを埋め込み、電子透かしが埋め込まれたデジタル画像について、所定の基準で品質評価し、品質評価結果が不良の場合、電子透かしの埋め込み強度及びフィルタ強度の組み合わせ配列において、埋め込み強度及びフィルタ強度に基づいて電子透かしが埋め込まれたアナログ画像の品質評価値を格納するパラメータマップより、所定の電子透かしの埋め込み強度及びフィルタ強度と対応する品質評価値を読み出し、読み出した品質評価値と品質評価値が同値である、複数の埋め込み強度及びフィルタ強度の組み合わせより、埋め込み強度が弱い、または、フィルタ強度が強い組み合わせをパラメータマップより読み出して、電子透かし埋め込み手段に設定するので、アナログ画像において、適切な電子透かし埋め込みパラメータを設定することが出来る効果を得ることができる。
【図面の簡単な説明】
【図１】本実施形態の電子透かしパラメータ設定装置の構成図である。
【図２】パラメータマップの説明図である。
【図３】電子透かし精度Ｚ（ａ−４）〜Ｚ（ａ＋４）で電子透かしが埋め込まれた９つのデジタル画像を一枚の印刷用紙にレイアウトする様子を示す説明図である。
【図４】本実施形態の電子透かしパラメータ設定装置の動作を示すフローチャートである。
【図５】品質評価１の流れを示すフローチャートである。
【図６】電子透かしの精度を９順位下げて電子透かしが埋め込まれた９つのデジタル画像を一枚の印刷用紙にレイアウトする様子を示す説明図である。
【図７】電子透かしの精度を９順位上げて電子透かしが埋め込まれた９つのデジタル画像を一枚の印刷用紙にレイアウトする様子を示す説明図である。
【図８】印刷対応電子透かし検出成功画像が１枚である場合の様子を示す説明図である。
【図９】印刷対応電子透かし検出成功画像が複数枚である場合の様子を示す説明図である。
【符号の説明】
１…電子透かしパラメータ設定装置１
２…ＡＤ変換器
３…印刷機
１０…入力部
１１…電子透かし埋め込み部
１２…パラメータ設定部
１３…画像品質評価処理部
１４…印刷用レイアウト処理部
１５…電子透かし検出部
１６…出力部
２０…原画像ＤＢ
２１…パラメータＤＢ
２２…電子透かし埋め込み画像ＤＢ
【図１】
2005026848.tif 000003
【図２】
2005026848.tif 000004
【図３】
2005026848.tif 000005
【図４】
2005026848.tif 000006
【図５】
2005026848.tif 000007
【図６】
2005026848.tif 000008
【図７】
2005026848.tif 000009
【図８】
2005026848.tif 000010
【図９】
2005026848.tif 000011